(57)【特許請求の範囲】
【請求項１】
適度の剛性を有するシート材より成る直方体状のものであって、一つの側壁に切込線を刻設して、下端部が第１の横折線を介して前記側壁の下部に連接された後板片と、該後板片の上端部に第２の横折線を介して連接された前板片と、前記後板片及び前板片をこれらの内面が対向するように前記第２の横折線で折り曲げると共に前記第１の横折線で外側に折り曲げた状態で前記前板片に係合させることにより前記前板片をその表面に表示された情報や絵柄等が前方かつ斜め上方から視認可能となるように傾斜した状態に保持する係合部または該係合部の形成片とを形成して成ることを特徴とするディスプレイ兼用カートン。
【請求項２】
前記切込線の少なくとも一部が複数個のＹ字状の切り込みにより形成されたことを特徴とする請求項１に記載のディスプレイ兼用カートン。
【発明の詳細な説明】
【０００１】
【発明の属する技術分野】
本発明は、商品を収納し、密封時には商品を保管・搬送するために用いられ、開封後は商品を展示するために用いられるディスプレイ兼用カートンに関するものである。
【０００２】
【従来の技術】
近年、消費者のニーズの多様化に伴って商品の種類が著しく増加しており、これに伴ってスーパーやコンビニエンスストアの商品陳列棚の段数が増加し、各段の高さが低くなってきている。このような状況下では、下方の段に置かれた商品は買物客の目線にかかりにくく、売り上げが上がりにくいという問題が有る。
【０００３】
また、従来より、商品を収納し、密封時には商品を保管・搬送するために用いられ、開封後は商品を展示するために用いられるディスプレイ兼用カートンが知られているが、従来のこの種のカートンは、商品名等を記載した部分が水平方向から視認するように構成されているため、上述した問題に対処できるものではなかった。
【０００４】
【発明が解決しようとする課題】
本発明は上述した事情に鑑みて創案されたものであり、その目的は、商品陳列棚の下方の段に置かれた場合でも買物客の目線にかかり易いように成したディスプレイ兼用カートンを提供することにある。
【０００５】
【課題を解決するための手段】
上述した目的を達成するために、請求項１の発明は、適度の剛性を有するシート材より成る直方体状のものであって、一つの側壁に切込線を刻設して、下端部が第１の横折線を介して前記側壁の下部に連接された後板片と、該後板片の上端部に第２の横折線を介して連接された前板片と、前記後板片及び前板片をこれらの内面が対向するように前記第２の横折線で折り曲げると共に前記第１の横折線で外側に折り曲げた状態で前記前板片に係合させることにより前記前板片をその表面に表示された情報や絵柄等が前方かつ斜め上方から視認可能となるように傾斜した状態に保持する係合部または該係合部の形成片とを形成して成ることを特徴とするディスプレイ兼用カートンである。
【０００６】
また、請求項２の発明は、前記切込線の少なくとも一部が複数個のＹ字状の切り込みにより形成されたことを特徴とするディスプレイ兼用カートンである。
【０００７】
【発明の実施の形態】
以下、本発明の具体的な実施形態を図面を参照しながら説明する。
図１は本発明の第１の実施形態であるディスプレイ兼用カートン１の斜視図、図２はディスプレイ兼用カートン１を形成するブランク板の展開図、図３〜図７はディスプレイ兼用カートン１の使用方法の説明図、図８は本発明の第２の実施形態であるディスプレイ兼用カートン３６の斜視図、図９はディスプレイ兼用カートン３６を形成するブランク板の展開図、図１０はディスプレイ兼用カートン３６の使用方法の説明図である。
【０００８】
本実施形態のディスプレイ兼用カートン１はインスタントの汁状食品を包装するためのもので、板紙、厚紙、コートボール紙等の適度の剛性を有するシート材より成るブランク板を折り曲げることによって形成されており、図１のカートン１を形成するブランク板は、図２に示すように、右から順に縦折線Ｌ１〜Ｌ４を介して順次連接された貼着片２、側壁３、側壁４、側壁５、及び側壁６を有している。
【０００９】
側壁３の上端部には横折線Ｌ５を介して蓋体７が連接され、その上端部には横折線Ｌ６を介して差込片８が連接されている。また、側壁３の下端部には横折線Ｌ７を介して底壁９が連接されている。そして、組み立てた際に側壁３と対向する側壁５の下端部には横折線Ｌ８を介して底壁１０が連接されている。
【００１０】
使用する際に前面となる側壁４の上端部には横折線Ｌ９を介して折込片１１が連接され、側壁４の下端部には横折線Ｌ１０を介して折込片１２が連接されている。また、組み立てた際に側壁４と対向する側壁６の上端部には横折線Ｌ１１を介して折込片１３が連接され、側壁６の下端部には横折線Ｌ１２を介して折込片１４が連接されている。
【００１１】
側壁３の上部には横方向に延びる一対の切込線１５、１６が刻設されており、これらは側壁３を横断して後壁６の横幅の略１／２の位置に達している。また、側壁５の上部には、切込線１５、１６と対向して切込線１７、１８が刻設されており、これらは側壁５を横断して後壁６の横幅の略１／２の位置に達し、それぞれ切込線１５、１６と交わっている。切込線１５〜１８は複数個のＹ字状の切り込みによって形成されている。
【００１２】
後壁６には、切込線１５、１６；１７、１８の交点を結び、縦方向に延びる切込線１９が刻設されている。また、縦折線Ｌ２に沿って切込線１５、１６と縦折線Ｌ２の交点を結ぶ切込線２０が刻設され、縦折線Ｌ３に沿って切込線１７、１８と縦折線Ｌ３の交点を結ぶ切込線２１が刻設されている。切込線１５、１６、１９、２０によってジッパー２２が区画形成され、切込線１７、１８、１９、２１によってジッパー２３が区画形成されている。
【００１３】
図１に示すように、側壁４には、下端部が一対の第１の横折線Ｌ１３、Ｌ１３を介して側壁４の下部に連接された略逆Ｕ字形の後板片２４と、その上端部に第２の横折線Ｌ１４を介して連接された前板片２５とを区画形成する切込線２６、２７が刻設されている。なお、図示していないが、第１の横折線Ｌ１３、Ｌ１３に沿って不連続な切込線が刻設されている。
【００１４】
切込線２６は略逆Ｕ字形に形成されていて、その下端部２６ａ、２６ａはそれぞれ外方に屈曲して水平方向に延びている。また、この下端部２６ａ、２６ａの上方には、切込線２６の下部から外側に向けて水平方向に延びる一対の切込線２８、２８が刻設されている。そして、切込線２８、２８の先端と切込線２６の下端部２６ａ、２６ａの先端とが折線２９、２９によって結ばれており、これによって一対の係合部形成片３０、３０が区画形成されている。この係合部形成片３０、３０を折線２９、２９に沿って内方に折り込むことにより係合部３１、３１（図６参照）が形成される。なお、折線２９、２９の部分を切り込みとしてあらかじめ係合部３１、３１を形成しておくようにしてもよい。
【００１５】
また、側壁４には、側壁３、５に刻設された切込線１６、１８に連続し、切込線２６の下部に達する一対の切込線３２、３２が刻設されている。なお、切込線３２、３２の一部はＹ字状の切り込みによって形成されている。さらに、前板片２５の上部に設けられた水平方向にのびる折線２５ａの延長線に沿って切込線３２、３２に達する一対の切込線３３、３３が刻設されており、切込線２６、３２、３２、３３、３３によって一対の切取片３４、３４が区画形成されている。切込線２７は略逆Ｕ字形に形成されていて、これによって突片３５が形成されている。
【００１６】
なお、前板片２５の外面には、商品名、宣伝コピー、絵柄等の印刷が施されており、ブランク板におけるその他の部分の外面には、商品名、会社名、注意書き等の印刷が施されている。
【００１７】
上記のように構成されたブランク板は、まず、底壁９、１０の右側の部分９ｂ、１０ｂが折線９ａ、１０ａに沿って外側に折り返され、次いで底壁９、１０、折込片１２、１４が内方に折り込まれる。そして、側壁３が側壁４、５上に折り重ねられて底壁９の右側の部分９ｂが折込片１２に貼着され、次いで側壁６が側壁５上に折り重ねられて折込片１４が底壁１０の右側の部分１０ｂに貼着されると共に側壁６が貼着片２に貼着されて扁平な筒状となる。ブランク板はこの状態で商品の製造現場に供給される。
【００１８】
商品の製造現場においてブランク板の側壁３〜６を角筒状に立体化すると、底壁９、１０、折込片１２、１４が側壁３〜６に対して略直角となるように起立し、底壁９、１０が互いに係合して底部が形成され、上面が開口した箱状となる。これに被包装物を収納し、蓋体７によって上面開口を封閉すると、包装が完成する（図１参照）。このカートン１は販売現場に搬送される。
【００１９】
販売現場において、店員がジッパー２２、２３の後端部を指で持ち、これを切込線１５〜１８の方向に引っ張ると、図３に示すように切込線１５〜１８が破断する。破断が縦折線Ｌ２、Ｌ３に達するとジッパー２２、２３がカートン１から分離し、カートン１の上部が取り外し可能となる。なお、切込線１５〜１８はＹ字状の切り込みによって形成されているため、破断方向が切込線１５〜１８に沿い易く、ジッパー２２、２３をスムーズに切り取ることができるものである。
【００２０】
次に、図４に示すようにカートン１の上部を取り外し、係合部形成片３０、３０を内方に折り曲げ、前板片２５及び後板片２４をこれらの内面が対向するように第２の横折線Ｌ１４で二つ折りすると共に第１の横折線Ｌ１３、Ｌ１３で外側に折り曲げ、図５に示すように前板片２５の上部両側を係合部３１、３１に係合させる。これによって、前板片２５は、その表面に記載された情報と絵柄がカートン１の前方かつ斜め上方から視認可能となるように傾斜した状態に保持される。なお、前板片２５の裏面には突片３５の先端が当接しており、これによって前板片２５に外力が作用しても内方に倒れ込まないようになっている。
【００２１】
本実施形態では、前板片２５の水平面に対する傾斜角度は略６０゜に設定されている。なお、前板片２５の好ましい傾斜角度の範囲は３０゜〜８０゜であるが特にこれに限定されるものではない。最後に、切取部３４、３４を切込線３２、３２に沿って切り取ると組み立てが完了する（図６参照）。
【００２２】
このカートン１は、図７に示すように、商品陳列棚の下方の段に置かれた場合でも、前板片２５の表面に記載された情報や絵柄が顧客の目線にかかりやすいため、商品の存在を顧客に知らせることができ、売り上げ増加に有効に寄与するものである。なお、カートン１が載置される棚板の上面から前板片２５までの高さは任意に設定することができるが、棚板の正面に棚板の上面よりも上方に突出した値札表示板が有る場合には、前板片２５の表面がこの値札表示板にオーバーラップした状態となるため、前板片２５の表面に記載された情報が値札表示板の上方に位置するように、棚板の上面から前板片２５までの高さを設定する必要が有る。
【００２３】
次に、本発明の第２の実施形態について説明する。
なお、本実施形態において上記実施形態と同等の部分には同一符号を付してあり、同一の部分については説明を省略してある。
【００２４】
図８に示すように、本実施形態のカートン３６の側壁４には、下端部が一対の第１の横折線Ｌ１５、Ｌ１５を介して側壁４の下部に連接された略逆Ｕ字形の後板片３７と、その上端部に第２の横折線Ｌ１６を介して連接された前板片３８とを区画形成する切込線３９、４０が刻設されている。なお、図示していないが、第１の横折線Ｌ１５、Ｌ１５に沿って不連続な切込線が刻設されている。
【００２５】
切込線３９は略Ｕ字形に形成されていて、その底辺の中央部は上方に突出している。なお、切込線３９の一部はＹ字状の切り込みによって形成されている。切込線３９の底辺の中央部の下方には円弧状の切込線４１が刻設されており、この切込線４１と切込線３９を結ぶ上下方向に延びる切込線４２が刻設されている。切込線３９、４１、４２によって一対の係合部４３、４３が形成されている。
【００２６】
切込線４０の中央部は上方に向けて突出するように形成されており、これによって、前板片３８の上部に横折線Ｌ１７を介して連接された係合突片３８ａが形成されている。また、前板片３８の下端中央部には、底辺が第２の横折線Ｌ１６に一致するＵ字状の切込線４４が刻設され、これによって舌片３８ｂが形成されている。さらに、切込線４４の両端から水平方向外側に延びる横折線Ｌ１８、Ｌ１８が設けられており、第２の横折線Ｌ１６との間に帯状の折曲部３８ｃが形成されている。
【００２７】
なお、前板片３８における折曲部３８ｃ、係合突片３８ａを除く部分の外面には、商品名、宣伝コピー、絵柄等の印刷が施されており、ブランク板におけるその他の部分の外面には、商品名、会社名、注意書き等の印刷が施されている。
【００２８】
このブランク板の組み立て方法と包装方法は第１の実施形態と同様である。包装が完成したカートン３６の使用方法は、ジッパー２２、２３を切り取ってカートン３６の上部を取り去るところまでは第１の実施形態と同様である。そして、本実施形態では、この状態から後板片３７の両側の切込線３９を破断し、前板片３８及び後板片３７をこれらの内面が対向するように第２の横折線Ｌ１６で二つ折りすると共に第１の横折線Ｌ１５、Ｌ１５で外側に折り曲げる。
【００２９】
次いで、係合突片３８ａを横折線Ｌ１７で内側に折り曲げ、前板片３８を横折線Ｌ１８で直角に山折りして係合突片３８ａの先端部を係合部４３、４３の間の部分に押し付けると、係合部４３、４３が後方に湾曲し、係合突片３８ａの先端部における側方に張り出した部分が係合部４３、４３を乗り越えると係合部４３、４３がその弾性により前方に復帰する。ここで係合突片３８ａに添えた手を離すと、前板片３８が前方に倒れようとするが係合突片３８ａの先端部における側方に張り出した部分が係合部３９、３９の裏面に当接してその動きが阻止される。
【００３０】
これによって、前板片３８は、図１０に示すように、傾斜した状態に保持される。このカートン３６は、第１の実施形態と同様に、商品陳列棚の下方の段に置かれた場合においても、前板片３８に記載された情報と絵柄が顧客の目線にかかり易いため、売り上げ増加を図ることができる。
【００３１】
なお、本発明は上述した実施形態に限定されるものではなく、種々の変更が可能である。
【００３２】
例えば、本実施形態では、本発明を汁状の食品を包装するカートンに適用した場合について説明したが、その他の被包装物を包装するカートンにも適用可能である。
【００３３】
また、本実施形態では、前板片の表面に情報と絵柄が表示された場合について説明したが、情報のみあるいは絵柄のみを表示するようにしてもよい。なお、絵柄には写真も含まれるものとする。
【００３４】
その他にも、本発明の要旨を逸脱しない範囲で種々の変更が可能である。
【００３５】
【発明の効果】
以上説明したように本発明のディスプレイ兼用カートンは、商品陳列棚の下方の段に置かれた場合でも顧客の目線にかかり易く、売り上げ増加を図ることができる。
【００３６】
請求項２のカートンは、切込線の少なくとも一部をＹ字状の切り込みによって形成したことにより、破断方向が切込線に沿い易くなるため、組み立てが容易となる。
【図面の簡単な説明】
【図１】  本発明の第１の実施形態であるディスプレイ兼用カートン１の斜視図。
【図２】  ディスプレイ兼用カートン１を形成するブランク板の展開図。
【図３】  ディスプレイ兼用カートン１の使用方法の説明図。
【図４】  ディスプレイ兼用カートン１の使用方法の説明図。
【図５】  ディスプレイ兼用カートン１の使用方法の説明図。
【図６】  ディスプレイ兼用カートン１の使用方法の説明図。
【図７】  ディスプレイ兼用カートン１の使用方法の説明図。
【図８】  本発明の第２の実施形態であるディスプレイ兼用カートン３６の斜視図。
【図９】  ディスプレイ兼用カートン３６を形成するブランク板の展開図。
【図１０】  ディスプレイ兼用カートン３６の使用方法の説明図。
【符号の説明】
１  ディスプレイ兼用カートン
４  側壁
２４  後板片
２５  前板片
２６、２７  切込線
３０  係合部形成片
３１  係合部
Ｌ１３  第１の横折線
Ｌ１４  第２の横折線
【図１】
0004175713.tif 000002
【図２】
0004175713.tif 000003
【図３】
0004175713.tif 000004
【図４】
0004175713.tif 000005
【図５】
0004175713.tif 000006
【図６】
0004175713.tif 000007
【図７】
0004175713.tif 000008
【図８】
0004175713.tif 000009
【図９】
0004175713.tif 000010
【図１０】
0004175713.tif 000011